(57)【要約】【課題】モバイル端末で、Ｗｅｂサイトの記事を閲覧する際に、ユーザが関心を持つ記事を短時間で参照でき、かつ記憶領域の使用を低減できるＷｅｂサイト記事自動ダウンロード装置を提供する。【解決手段】Ｗｅｂサイト上の記事一覧のＵＲＬをモバイル端末１０内の記憶装置１に設定し、ユーザが関心のあるキーワードを絞込キーワードとしてモバイル端末内の記憶装置１に設定し、モバイル端末で送受信操作を行っていない間に、記事一覧のＵＲＬにアクセスし、Ｗｅｂサイトから記事一覧を自動的にダウンロードして記憶装置２に格納し、その記事一覧のリンク情報から記事各々のＵＲＬを抽出し、抽出したＵＲＬにアクセスして、各々の記事をダウンロードし、ダウンロードした記事中に絞込キーワードが幾つヒットするか調べ、絞込キーワードがヒットした記事を記憶装置２に格納し、記憶装置２に格納した記事を、記憶装置２に格納された記事一覧にリンクする。【選択図】図１
2007164586.tif 000002
【特許請求の範囲】
【請求項１】
記事とその記事一覧がリンクされたＷｅｂサイトを提供するＷｅｂサーバにネットワーク接続可能なＷｅｂブラウザを搭載したモバイル端末において、
Ｗｅｂサイト上の記事一覧のＵＲＬが設定された記憶装置と、
ユーザが関心のあるキーワードが絞込キーワードとして設定された記憶装置と、
前記モバイル端末で送受信操作を行っていない間に、記事一覧のＵＲＬにアクセスし、Ｗｅｂサイトから記事一覧を自動的にダウンロードして記憶装置に格納する手段と、
その記事一覧のリンク情報から記事各々のＵＲＬを抽出する手段と、
抽出したＵＲＬにアクセスして、各々の記事をダウンロードする手段と、
ダウンロードした記事中に前記絞込キーワードが幾つヒットするか調べる手段と、
絞込キーワードがヒットした記事を記憶装置に格納する手段と、
記憶装置に格納した記事を、記憶装置に格納された記事一覧にリンクする手段とを備えることを特徴とするＷｅｂサイト記事自動ダウンロード装置。
【請求項２】
絞込キーワードがヒットした記事を記憶装置に格納する際、記憶領域内に収まりきらない場合は、絞込キーワードヒット数の多い記事を優先的に格納することを特徴とする請求項１に記載のＷｅｂサイト記事自動ダウンロード装置。
【請求項３】
記事を分類するカテゴリが記載されて各記事にリンクされた記事一覧を有するＷｅｂサイトを提供するＷｅｂサーバにネットワーク接続可能なＷｅｂブラウザを搭載したモバイル端末において、
Ｗｅｂサイト上の記事一覧のＵＲＬが設定された記憶装置と、
ユーザが関心のある記事のカテゴリを絞込カテゴリとして設定された記憶装置と、
前記モバイル端末で送受信操作を行っていない間に、記事一覧のＵＲＬにアクセスし、Ｗｅｂサイトから記事一覧を自動的にダウンロードして記憶装置に格納する手段と、
その記事一覧に記載された記事のカテゴリの中で絞込カテゴリがヒットするか調べる手段と、
絞込カテゴリがヒットした記事のＵＲＬを抽出する手段と、
抽出したＵＲＬにアクセスして、その記事をダウンロードし、ダウンロードした記事を記憶装置に格納する手段と、
ダウンロードして記憶装置に格納した記事を、記憶装置に格納された記事一覧にリンクする手段とを備えることを特徴とするＷｅｂサイト記事自動ダウンロード装置。
【請求項４】
記事とその記事一覧がリンクされたＷｅｂサイトを提供するＷｅｂサーバにネットワーク接続可能なＷｅｂブラウザを搭載したモバイル端末のＷｅｂサイト記事自動ダウンロード方法であって、
Ｗｅｂサイト上の記事一覧のＵＲＬを前記モバイル端末内の記憶装置に設定し、
ユーザが関心のあるキーワードを絞込キーワードとして前記モバイル端末内の記憶装置に設定し、
前記モバイル端末で送受信操作を行っていない間に、記事一覧のＵＲＬにアクセスし、Ｗｅｂサイトから記事一覧を自動的にダウンロードして記憶装置に格納し、
その記事一覧のリンク情報から記事各々のＵＲＬを抽出し、
抽出したＵＲＬにアクセスして、各々の記事をダウンロードし、
ダウンロードした記事中に前記絞込キーワードが幾つヒットするか調べ、
絞込キーワードがヒットした記事を記憶装置に格納し、
記憶装置に格納した記事を、記憶装置に格納された記事一覧にリンクすることを特徴とするＷｅｂサイト記事自動ダウンロード方法。
【請求項５】
記事を分類するカテゴリが記載されて各記事にリンクされた記事一覧を有するＷｅｂサイトを提供するＷｅｂサーバにネットワーク接続可能なＷｅｂブラウザを搭載したモバイル端末のＷｅｂサイト記事自動ダウンロード方法であって、
Ｗｅｂサイト上の記事一覧のＵＲＬを前記モバイル端末内の記憶装置に設定し、
ユーザが関心のある記事のカテゴリを絞込カテゴリとして前記モバイル端末内の記憶装置に設定し、
前記モバイル端末で送受信操作を行っていない間に、記事一覧のＵＲＬにアクセスし、Ｗｅｂサイトから記事一覧を自動的にダウンロードして記憶装置に格納し、
その記事一覧に記載された記事のカテゴリの中で絞込カテゴリがヒットするか調べ、
絞込カテゴリがヒットした記事のＵＲＬを抽出し、
抽出したＵＲＬにアクセスして、その記事をダウンロードし、ダウンロードした記事を記憶装置に格納し、
ダウンロードして記憶装置に格納した記事を、記憶装置に格納された記事一覧にリンクすることを特徴とするＷｅｂサイト記事自動ダウンロード方法。
【請求項６】
記事とその記事一覧がリンクされたＷｅｂサイトを提供するＷｅｂサーバにネットワーク接続可能なＷｅｂブラウザを搭載したモバイル端末のＷｅｂサイト記事自動ダウンロード・プログラムであって、
Ｗｅｂサイト上の記事一覧のＵＲＬを前記モバイル端末内の記憶装置に設定する機能と、
ユーザが関心のあるキーワードを絞込キーワードとして前記モバイル端末内の記憶装置に設定する機能と、
前記モバイル端末で送受信操作を行っていない間に、記事一覧のＵＲＬにアクセスし、Ｗｅｂサイトから記事一覧を自動的にダウンロードして記憶装置に格納する機能と、
その記事一覧のリンク情報から記事各々のＵＲＬを抽出する機能と、
抽出したＵＲＬにアクセスして、各々の記事をダウンロードする機能と、
ダウンロードした記事中に前記絞込キーワードが幾つヒットするか調べる機能と、
絞込キーワードがヒットした記事を記憶装置に格納する機能と、
記憶装置に格納した記事を、記憶装置に格納された記事一覧にリンクする機能とをコンピュータに実行させることを特徴とするＷｅｂサイト記事自動ダウンロード・プログラム。
【請求項７】
記事を分類するカテゴリが記載されて各記事にリンクされた記事一覧を有するＷｅｂサイトを提供するＷｅｂサーバにネットワーク接続可能なＷｅｂブラウザを搭載したモバイル端末のＷｅｂサイト記事自動ダウンロード・プログラムであって、
Ｗｅｂサイト上の記事一覧のＵＲＬを前記モバイル端末内の記憶装置に設定する機能と、
ユーザが関心のある記事のカテゴリを絞込カテゴリとして前記モバイル端末内の記憶装置に設定する機能と、
前記モバイル端末で送受信操作を行っていない間に、記事一覧のＵＲＬにアクセスし、Ｗｅｂサイトから記事一覧を自動的にダウンロードして記憶装置に格納する機能と、
その記事一覧に記載された記事のカテゴリの中で絞込カテゴリがヒットするか調べる機能と、
絞込カテゴリがヒットした記事のＵＲＬを抽出する機能と、
抽出したＵＲＬにアクセスして、その記事をダウンロードし、ダウンロードした記事を記憶装置に格納する機能と、
ダウンロードして記憶装置に格納した記事を、記憶装置に格納された記事一覧にリンクする機能とをコンピュータに実行させることを特徴とするＷｅｂサイト記事自動ダウンロード・プログラム。
【発明の詳細な説明】
【技術分野】
【０００１】
本発明は、携帯電話などのモバイル端末で、ニュースサイトなどのＷｅｂサイトの記事を閲覧する際に、ユーザが関心を持つ記事を自動的に絞り込むことができるＷｅｂサイト記事自動ダウンロード装置に関する。
【背景技術】
【０００２】
従来、携帯電話などのモバイル端末でニュースなどのＷｅｂサイトの記事を閲覧する時、見たい記事をクリックした後、ダウンロードされて利用者に見えるようになるまでに時間がかかる。これを、あらかじめモバイル端末の記憶装置にダウンロードしておき、あとで速やかに見られるようにする方が望ましい。
【０００３】
また、メールマガジン集配信サーバにおいて、利用者端末が受信を希望するメールマガジンから、カテゴリあるいはキーワードに適合する情報を抽出し、抽出した情報を１つのメールマガジンとして編集して利用者端末に配信するメールマガジン配信システムがある（例えば、特許文献１参照）。
【特許文献１】特開２００３−１６２４８２号公報
【発明の開示】
【発明が解決しようとする課題】
【０００４】
しかしながら、あらかじめダウンロードする技術は既にあるが、記憶装置には容量の上限があり、全部ダウンロードするのは無駄が多く、特にモバイル端末は記憶容量が小さいので、実質上無理である。このため、ダウンロードする記事を何らかの基準で限定するのがよい。
【０００５】
またモバイル端末は、パソコンのようなブロードバンド常時接続を実現していないので、ネットワークに接続したまま記事を読むのは課金面から非効率である。
【０００６】
そこで本発明は、携帯電話などのモバイル端末で、ニュースサイトなどのＷｅｂサイトの記事を閲覧する際に、ユーザが関心を持つ記事を短時間で参照することができ、なおかつモバイル端末の限られた記憶装置の記憶領域の使用を低減することができるＷｅｂサイト記事自動ダウンロード装置及び方法並びにそのプログラムを提供することを目的とする。
【課題を解決するための手段】
【０００７】
上述の課題を解決するため、本発明では、従来のＰＣ用Ｗｅｂブラウザなどに搭載されている、自動ダウンロード機能、オフラインブラウズ機能やコンテンツ同期機能をモバイル端末にそのまま移植するのではなく、ダウンロード先になるＵＲＬ(Uniform Resource Locator)のほかに、コンテンツに含まれるキーワードやコンテンツのカテゴリをＷｅｂ閲覧の際の絞り込みに用いる。
【発明の効果】
【０００８】
本発明によれば、関心のある記事を、ユーザが見たい時に素早く参照できるようになる。その理由は、Ｗｅｂサイトの記事をキーワードやカテゴリによって絞り込んでモバイル端末内にダウンロードして記憶するためである。
【０００９】
また、モバイル端末内の記憶装置の使用容量を低減できる。関心の薄い記事は、ダウンロードして記憶しないからである。モバイル端末は、パソコンなどと比べて記憶装置の容量が小さいため有効である。
【００１０】
さらに、ネットワークの接続時間が自動ダウンロード時のみに限定されるため、ネットワーク資源の効率的な利用が図られる。
【発明を実施するための最良の形態】
【００１１】
次に、本発明の最良の形態について図面を参照して説明する。
【実施例１】
【００１２】
図１は、本発明のシステム構成図である。モバイル端末１０とＷｅｂサーバ２０とが、ネットワーク３０を介して接続されている。Ｗｅｂサーバ２０は、記事とその記事一覧がリンクされたＷｅｂサイトを提供する。モバイル端末１０は、Ｗｅｂブラウザを搭載し、ネットワーク接続機能を有する。また、モバイル端末１０は、アクセスする記事一覧のＵＲＬと、ユーザが関心のあるキーワードを予め記憶する記憶装置１と、Ｗｅｂサイトからダウンロードした記事等を記憶する記憶装置２とを内蔵する。なお、記憶装置１と記憶装置２とは、同じ物理的記憶装置とすることができる。また、モバイル端末１０は、メモリに格納された制御プログラムによって、以下に説明する各機能を実現する。
【００１３】
図２は、本実施形態の動作を説明するシーケンス図である。
【００１４】
モバイル端末１０には、Ｗｅｂサーバ２０が提供するＷｅｂサイト上の記事一覧のＵＲＬを事前に記憶装置１に設定しておく。また、ユーザが関心のあるキーワードを事前に絞込キーワードとして記憶装置１に設定しておく（Ｓ１１）。
【００１５】
モバイル端末１０が送受信操作を行っていない時間に、設定された記事一覧のＵＲＬにアクセスし（Ｓ１２）、ネットワーク３０を介してＷｅｂサイトから記事一覧を自動的にダウンロードし（Ｓ１３）、ダウンロードした記事一覧を記憶装置２に格納して、その記事一覧のリンク情報から記事各々のＵＲＬを抽出する（Ｓ１４）。
【００１６】
抽出したＵＲＬにアクセスして（Ｓ１５）、各々の記事をダウンロードし（Ｓ１６）、ダウンロードした記事中に絞込キーワードが幾つヒットするかを調べる（Ｓ１７）。
【００１７】
絞込キーワードがヒットした記事を、記憶装置２に格納する（Ｓ１８）。但し記憶領域内に収まりきらない場合は、絞込キーワードヒット数の多い記事を優先的に格納する。
【００１８】
絞込キーワードがヒットして記憶装置２に格納した記事を、記憶装置２に格納された記事一覧にリンクする（Ｓ１９）。これにより、ユーザが記事一覧の目次のリンクをクリックして容易に記事を参照できるようになる。
【００１９】
また、記憶装置に格納しなかった記事に対しては、記事一覧内のダウンロード元の記事のＵＲＬへのリンクを保持する。
【実施例２】
【００２０】
実施例１では、ダウンロードして記憶する記事の優先順位を、記事に含まれる絞込キーワードにヒットするか否かで判定している。
【００２１】
ニュースサイトの場合、記事はカテゴリ（社会、国際、科学など）に分類されており、通常この分類はＷｅｂサイトの記事一覧に記されている。記事の優先順位付けを、絞込キーワードではなくカテゴリを基準にして判定するように実施することも可能である。
【００２２】
本実施例では、Ｗｅｂサーバは、記事を分類するカテゴリが記載されて各記事にリンクされた記事一覧を有するＷｅｂサイトを提供する。モバイル端末は、Ｗｅｂブラウザを搭載し、ネットワーク接続機能を有する。また、モバイル端末は、アクセスする記事一覧のＵＲＬと、ユーザが関心のある記事のカテゴリを予め記憶する記憶装置と、Ｗｅｂサイトからダウンロードした記事等を記憶する記憶装置とを内蔵する。また、モバイル端末は、メモリに格納された制御プログラムによって、以下に説明する各機能を実現する。
【００２３】
図３は、本実施形態の動作を説明するシーケンス図である。
【００２４】
Ｗｅｂサーバが提供するＷｅｂサイト上の記事一覧のＵＲＬをモバイル端末内の記憶装置に設定する。また、ユーザが関心のある記事のカテゴリを絞込カテゴリとしてモバイル端末内の記憶装置に設定する（Ｓ２１）。
【００２５】
モバイル端末で送受信操作を行っていない間に、記事一覧のＵＲＬにアクセスし（Ｓ２２）、Ｗｅｂサイトから記事一覧を自動的にダウンロードし（Ｓ２３）、ダウンロードした記事一覧を記憶装置に格納する（Ｓ２４）。その記事一覧に記載された記事のカテゴリの中で絞込カテゴリがヒットするか調べ、絞込カテゴリがヒットした記事のＵＲＬを抽出する（Ｓ２５）。抽出したＵＲＬにアクセスして（Ｓ２６）、その記事をダウンロードし（Ｓ２７）、ダウンロードした記事を記憶装置に格納する（Ｓ２８）。そして、ダウンロードして記憶装置に格納した記事を、記憶装置に格納された記事一覧にリンクする（Ｓ２９）。
【００２６】
また、ダウンロードしなかった記事に対しては、記事一覧内のダウンロード元の記事のＵＲＬへのリンクを保持する。
【産業上の利用可能性】
【００２７】
本発明のモバイル端末は、携帯電話やＰＤＡなどの携帯専用端末に限らず、システムから一部を分割して持ち出せるＰＣなどに広く適用可能である。
【図面の簡単な説明】
【００２８】
【図１】本発明のシステム構成図である。
【図２】実施例１の動作を説明するシーケンス図である。
【図３】実施例２の動作を説明するシーケンス図である。
【符号の説明】
【００２９】
１０  モバイル端末
２０  Ｗｅｂサーバ
３０  ネットワーク
【図１】
2007164586.tif 000003
【図２】
2007164586.tif 000004
【図３】
2007164586.tif 000005